(57)【要約】  エレベータの作業者がかごの上に乗って作業する場合に、安全フックの掛け替えを必要とせず、その作業性を向上させることができるエレベータのかご上手摺装置を提供する。このため、かごの上部に、四方を囲むように手摺枠を立設し、この手摺枠の上部に、無端状に形成された手摺レールを設置する。また、この手摺レールに、安全フック連結手段を備えたガイドを設け、このガイドが、無端状の前記手摺レールに沿って移動自在となるように構成する。  そして、作業者がかご上で作業する場合には、かごの上に移動した後、自分の安全フックを安全フック連結手段に連結して安全を確保し、昇降路内機器の点検作業等を実施する。
2008136118.tif 000002
【特許請求の範囲】
【請求項１】
エレベータ昇降路内を昇降するかごの上部に設けられたかご上手摺装置であって、
四方を囲むように前記かごの上部に立設された手摺枠と、
前記手摺枠の上部に連続して設けられ、四方を囲むように無端状に形成された手摺レールと、
前記手摺レールに設けられ、無端状の前記手摺レールに沿って移動自在なガイドと、
前記ガイドに設けられ、前記かご上にいる作業者が安全フックを連結可能な安全フック連結手段と、
を備えたことを特徴とするエレベータのかご上手摺装置。
【請求項２】
エレベータ昇降路内を昇降するかごの上部に設けられたかご上手摺装置であって、
立設時に四方を囲むように、前記かごの上部に傾倒自在に設けられた複数の手摺枠と、
前記各手摺枠の上部に設けられ、前記手摺枠の立設時に、四方を囲むように全体として無端状に形成される複数の手摺レールと、
前記手摺レールに設けられ、前記手摺枠の立設時に、無端状の前記手摺レールに沿って移動自在なガイドと、
前記ガイドに設けられ、前記かご上にいる作業者が安全フックを連結可能な安全フック連結手段と、
を備えたことを特徴とするエレベータのかご上手摺装置。
【請求項３】
各手摺レールの各端部にそれぞれ配置され、手摺枠の傾倒時に、ガイドが前記手摺レールから外れることを防止するガイド落下防止手段と、
を備えたことを特徴とする請求項２に記載のエレベータのかご上手摺装置。
【請求項４】
ガイド落下防止手段は、その一部が手摺レールのレール部分と同じ形状を呈し、
手摺枠の立設時に、前記一部が前記手摺レールのレール部分と一直線状に配置されて、隣接する前記手摺レール間を接続するとともに、
手摺枠の傾倒時に、前記一部が前記手摺レールのレール部分からずれて配置され、ガイドの落下を防止する
ことを特徴とする請求項３に記載のエレベータのかご上手摺装置。
【請求項５】
ガイド落下防止手段は、
各手摺レールの各端部に回動自在に設けられ、その一部が前記手摺レールのレール部分と同じ形状を呈する隔板と、
前記各隔板に対応して設けられ、対応の前記隔板を常時一側に付勢して、前記隔板の前記一部を、対応の前記手摺レールのレール部分からずれた状態に配置させるバネと、
手摺枠の立設時に、前記隔板の前記一部を、対応の前記手摺レールのレール部分と一直線状に配置した状態で保持する保持手段と、
を備えたことを特徴とする請求項４に記載のエレベータのかご上手摺装置。
【請求項６】
手摺レールは、手摺枠の立設時に、全体としてコーナー部に所定の丸みを有する四角環状に形成され、
前記コーナー部を含む前記手摺レールは、前記手摺枠の傾倒時に、その上面が常時水平状態に保持される
ことを特徴とする請求項２に記載のエレベータのかご上手摺装置。
【請求項７】
かご上手摺装置が所定の収納状態であるか否かを検出し、前記所定の収納状態ではない場合に、エレベータの運転を自動で保守運転に切り替える安全スイッチと、
を備えたことを特徴とする請求項２に記載のエレベータのかご上手摺装置。
【請求項８】
ガイドは、手摺レールとの対向面に、高分子材料からなる摺動材が設けられたことを特徴とする請求項１から請求項７の何れかに記載のエレベータのかご上手摺装置。
【請求項９】
ガイドは、手摺レールの両側部を転動するガイドローラが設けられたことを特徴とする請求項１から請求項７の何れかに記載のエレベータのかご上手摺装置。
【発明の詳細な説明】
【技術分野】
【０００１】
この発明は、エレベータの保守点検時等に使用され、かご上にいる作業者の安全を確保するかご上手摺装置に関するものである。
【背景技術】
【０００２】
エレベータの作業者は、保守点検時等、昇降路内を昇降するかごの上に乗って作業をすることが多い。このため、かごの上部には、かごの上に乗って作業をしている作業者の安全を確保するため、かご上手摺装置が設置されている。【０００３】
このようなかご上手摺装置の従来技術として、複数に分割構成された手摺をかごの上部で折り畳み自在に構成するとともに、複数の検出器を設置して、手摺の折り畳み状態を簡単に検出できるようにしたものが提案されている（例えば、特許文献１参照）。【０００４】
【特許文献１】日本特開２００２−２８４４６９号公報
【発明の開示】
【発明が解決しようとする課題】
【０００５】
エレベータの作業者がかごの上に乗って作業をする場合、従来では、作業者のベルト等に固定された安全フックをかご上手摺装置の枠の一部に連結し、作業者の安全を確保していた。なお、この方法は、特許文献１記載のかご上手摺装置がエレベータに備えられている場合であっても同様である。【０００６】
しかし、上記安全フックをかご上手摺装置の枠に連結すると、作業者の作業領域（可動範囲）が所定の範囲内に限定されてしまう。このため、作業者は、かごの上を広範囲に渡って移動する必要がある場合に、安全フックの掛け替えが必要となって、作業性が著しく低下するといった問題があった。【０００７】
この発明は、上述のような課題を解決するためになされたもので、その目的は、エレベータの作業者がかごの上に乗って作業する場合に、安全フックの掛け替えを必要とせず、その作業性を大幅に向上させることができるエレベータのかご上手摺装置を提供することである
【課題を解決するための手段】
【０００８】
この発明に係るエレベータのかご上手摺装置は、エレベータ昇降路内を昇降するかごの上部に設けられたかご上手摺装置であって、四方を囲むようにかごの上部に立設された手摺枠と、手摺枠の上部に連続して設けられ、四方を囲むように無端状に形成された手摺レールと、手摺レールに設けられ、無端状の手摺レールに沿って移動自在なガイドと、ガイドに設けられ、かご上にいる作業者が安全フックを連結可能な安全フック連結手段と、を備えたものである。【０００９】
この発明に係るエレベータのかご上手摺装置は、エレベータ昇降路内を昇降するかごの上部に設けられたかご上手摺装置であって、立設時に四方を囲むように、かごの上部に傾倒自在に設けられた複数の手摺枠と、各手摺枠の上部に設けられ、手摺枠の立設時に、四方を囲むように全体として無端状に形成される複数の手摺レールと、手摺レールに設けられ、手摺枠の立設時に、無端状の手摺レールに沿って移動自在なガイドと、ガイドに設けられ、かご上にいる作業者が安全フックを連結可能な安全フック連結手段と、を備えたものである。
【発明の効果】
【００１０】
この発明によれば、エレベータの作業者がかごの上に乗って作業する場合に、安全フックの掛け替えを必要とせず、その作業性を大幅に向上させることができる。
【図面の簡単な説明】
【００１１】
【図１】この発明の実施の形態１におけるエレベータのかご上手摺装置を示す斜視図である。
【図２】図１におけるＡ−Ａ矢視図である。
【図３】図２におけるＢ矢視図である。
【図４】この発明の実施の形態１におけるエレベータのかご上手摺装置を示す側面図である。
【図５】組立状態におけるガイド落下防止手段の構成を示す縦断面図である。
【図６】ガイド落下防止手段の機能を説明するための縦断面図である。
【図７】図６の横手摺のみを示した図である。
【図８】図７におけるＥ矢視図である。
【図９】ガイド落下防止手段の機能を説明するための分解斜視図である。
【図１０】この発明の実施の形態１におけるエレベータのかご上手摺装置の折り畳み動作を説明するための斜視図である。
【図１１】図１０に示すエレベータのかご上手摺装置の側面図である。
【図１２】この発明の実施の形態１におけるエレベータのかご上手摺装置の収納状態を示す斜視図である。
【図１３】図１２に示すエレベータのかご上手摺装置の側面図である。
【図１４】この発明の実施の形態２におけるガイドを示す正面図である。
【図１５】この発明の実施の形態２におけるガイドを示す側面図である。
【図１６】この発明の実施の形態２におけるガイドを示す平面図である。
【符号の説明】
【００１２】
１  昇降路、  ２  かご室、  ３  かご戸、  ４  戸開閉装置、  ５  ガイドシュー、
６  縦柱、  ７  上枠、  ８  作業者、  ９  前手摺、  １０  後手摺、
１１  横手摺、  １２  横手摺、  １３〜１６  手摺レール、  １７〜２０  手摺枠、
１７ａ  逃がし孔、  ２１  支持板、  ２２  ピン、  ２３  安全スイッチ、
２４  ガイド、  ２５  摺動材、  ２６  安全フック環、  ２７  昇降路内機器、
２８  連結部、  ２９  湾曲部、  ３０  ピン、  ３１  リンク、  ３２  支持板、
３３  ピン、  ３４  支持板、  ３４ａ  逃がし孔、３４ｂ  逃がし孔、
３５  ピン、  ３６  ガイド落下防止手段、  ３７  隔板、  ３７ａ  バネ掛け穴、
３７ｂ  貫通孔、  ３８  隔板、  ３８ａ  貫通孔、  ３９  段付ボルト、
４０  バネ、  ４１  バネガイド、  ４２  取付板、  ４３  ベース板、
４３ａ  ネジ孔、  ４４  蝶ボルト、  ４４ａ  先端ネジ部、  ４４ｂ  バネ受け、
４５  バネ、  ４６  ガイドローラ
【発明を実施するための最良の形態】
【００１３】
この発明をより詳細に説明するため、添付の図面に従ってこれを説明する。なお、各図中、同一又は相当する部分には同一の符号を付しており、その重複説明は適宜に簡略化ないし省略する。【００１４】
実施の形態１．
図１はこの発明の実施の形態１におけるエレベータのかご上手摺装置を示す斜視図である。図１において、１はエレベータの昇降路、２はエレベータのかご室、３はかご室２の出入口を開閉するかご戸、４はかご戸３を開閉させる戸開閉装置、５はガイドシューである。６はかご室２を支持するかご枠の縦柱であり、かご室２の両側に配置されている。７は四角環状を呈するかご枠の上枠であり、かご室２の上面の周囲を取り囲むように、かご室２の上方で水平に配置されている。【００１５】
かごの上の作業者８の安全を確保するかご上手摺装置は、上枠７に支持されている。このかご上手摺装置は、かごの前側（乗場側）に配置された前手摺９、かごの後側（昇降路１の奥側）に配置された後手摺１０、かごの両側に配置された横手摺１１及び１２によって構成される。そして、各手摺９乃至１２が、四方を囲むように上枠７の上面に立設されることにより、その内側に作業者８の作業領域を形成し、作業者８の落下を防止する。【００１６】
各手摺９乃至１２は、その最上部に設けられた手摺レールと、この手摺レールを支持する手摺枠とを備えている。なお、前手摺９の手摺レール１３及び手摺枠１７は、対向する後手摺１０の手摺レール１４及び手摺枠１８と同じ構成を有し、横手摺１１の手摺レール１５及び手摺枠１９は、対向する横手摺１２の手摺レール１６及び手摺枠２０と同じ構成を有している。【００１７】
また、かご上手摺装置は、昇降路１頂部の省スペース化のため、かごの上部で折り畳み自在に構成される。図１は、かご上手摺装置がエレベータの保守点検時等に完全に組み立てられて、かごの上部に立設された状態（以下、「組立状態」という）を示している。支持板２１とピン２２とは、かご上手摺装置を折り畳み自在に構成するための部材であり、手摺枠１７乃至２０の各下端部を上枠７に対して回動自在に固定している。即ち、かご上手摺装置は、手摺枠１７乃至２０が、図１に示す状態からピン２２を中心としてかごの内側に完全に傾倒されることにより、上枠７上で折り畳まれて収納された状態（以下、「収納状態」という）になる。なお、２３はかご上手摺装置が所定の収納状態であるか否かを、手摺枠１９及び２０の傾倒状態によって検出し、かご上手摺装置が上記所定の収納状態ではない場合に、エレベータの運転を自動で保守運転に切り替える安全スイッチである。【００１８】
手摺９乃至１２の各手摺レール１３乃至１６は、それぞれ平形状を呈している。そして、上記手摺レール１３乃至１６は、組立状態において、全体としてコーナー部に所定の丸みを有する四角環状を呈するように、四方を囲む無端状に配置される。【００１９】
また、手摺レール１３乃至１６には、組立状態の時に、無端状の手摺レール１３乃至１６に沿って移動自在なガイド２４が設けられている。ここで、図２は図１におけるＡ−Ａ矢視図、図３は図２におけるＢ矢視図であり、上記ガイド２４の構成を示している。ガイド２４には、高分子材料等からなる摺動材２５と、安全フック環２６（安全フック連結手段）とが備えられている。上記摺動材２５は、手摺レール１３乃至１６上を円滑に移動するためのものであり、手摺レール１３乃至１６との対向面に設けられる。また、上記安全フック環２６は、作業者８のベルト等に固定された安全フックを連結するためのものである。そして、エレベータの作業者８は、図１にも示すように、保守点検時等にかごの上に移動した後、自分の安全フックを安全フック環２６に連結して安全を確保し、昇降路内機器２７の点検作業等を行う。【００２０】
上記ガイド２４は、作業者８がかご上から落下するような万一の場合でも手摺レール１３乃至１６から外れることがない所定の強度を有している。例えば、ガイド２４は、その一部に所定の幅のスリットが形成された四角筒状を呈し、平形状の手摺レール１３乃至１６を包み込むように配置される。また、ガイド２４は、手摺レール１３乃至１６上を移動する際に、手摺レール１３乃至１６と手摺枠１７乃至２０との連結部２８に接触することを防止するため、上記スリットを下方に向けて配置されている。【００２１】
即ち、ガイド２４は、上記構成を有するため、手摺レール１３乃至１６が無端状に形成される組立状態の時に、全ての連結部２８に接触することなく、隣接する手摺レール間（例えば、手摺レール１５及び手摺レール１３間）を円滑に移動することができる。また、上記組立状態では、全体として四角環状を呈する手摺レール１３乃至１６のコーナー部に所定の丸みが形成されるため、ガイド２４は、上記コーナー部を円滑に移動することもできる。したがって、ガイド２４は、かご室２の上方において、手摺レール１３乃至１６に沿って双方向に一周することが可能な構成を有しており、安全フックによって連結された作業者８のかご上での移動に、容易に追従することができる。【００２２】
また、横手摺１１の手摺レール１５と横手摺１２の手摺レール１６とには、各両端部に、ガイド２４を円滑に移動させるための湾曲部２９（上記コーナー部に相当）が形成されている。この湾曲部２９は、組立状態において手摺レール１３及び１４の端部に接続されるため、かごの内側に向かって所定の曲率で湾曲されている。したがって、例えば、仮に手摺レール１５が手摺枠１９に完全に固定された状態で横手摺１１がかごの内側に傾倒されると、収納状態におけるかご上手摺装置の高さ寸法が大きくなり、昇降路１頂部の省スペース化が阻害されてしまう。【００２３】
かかる理由から、かご上手摺装置は、手摺レール１５及び１６を水平状態に保持したまま収納することができる所定の構成を有している。例えば、横手摺１１の連結部２８に、上記ピン２２に対して平行に配置されたピン３０を設けることにより、手摺レール１５と手摺枠１９とを、手摺レール１５の長手方向を軸に回動自在に連結する。そして、手摺レール１５の各湾曲部２９と上枠７との間にリンク３１を連結し、手摺枠１９の傾倒時においても、上記手摺レール１５の上面を常時水平状態に保持させる。なお、３２及び３３は、リンク３１の下端部を上枠７に対して回動自在に固定するための支持板及びピンを、３４及び３５は、リンク３１の上端部を手摺レール１５の湾曲部２９に対して回動自在に固定するための支持板及びピンを示している。横手摺１２は、横手摺１１と同様の構成を有している。【００２４】
一方、かご上手摺装置は、各手摺９乃至１２が内側に傾倒されることによってかご上に収納される。このため、組立状態の時に全体として無端状に形成される手摺レール１３乃至１６は、収納状態では、それぞれが離れて配置されることになる。ガイド落下防止手段３６は、かご上手摺装置が組立状態ではなくなった時に、ガイド２４が手摺レール１３乃至１６の各端部から外れることを防止するためのものであり、手摺レール１３乃至１６の両端部にそれぞれ設けられている。以下に、横手摺１１の手摺レール１５と前手摺９の手摺レール１３との隣接する一端部間に設けられたものを例に、ガイド落下防止手段３６の具体的な構成を説明する。【００２５】
図４はこの発明の実施の形態１におけるエレベータのかご上手摺装置を示す側面図、図５は組立状態におけるガイド落下防止手段の構成を示す縦断面図、図６はガイド落下防止手段の機能を説明するための縦断面図、図７は図６の横手摺のみを示した図、図８は図７におけるＥ矢視図、図９はガイド落下防止手段の機能を説明するための分解斜視図である。なお、図５は図４におけるＣ部を示している。また、図８は図６のＤ−Ｄ矢視でもある。【００２６】
図４乃至図９において、横手摺１１の手摺レール１５と前手摺９の手摺レール１３とには、かご上手摺装置の組立状態において隣接する各一端部に、隔板３７及び３８が設けられている。隔板３７及び３８はそれぞれＴ字状を呈しており、各上部が、手摺レール１５及び１３の各レール部分と同じ形状、即ち平板状を有している。したがって、図５に示す組立状態では、隔板３７及び３８の各上部が手摺レール１５及び１３の各レール部分と一直線状に配置され、隣接する手摺レール１５及び１３間が接続される。このため、ガイド２４が手摺レール１５及び１３間を自在に移動できるようになる。【００２７】
一方、かご上手摺装置が組立状態ではない場合、即ち手摺枠１９又は１７が傾倒されると、隔板３７及び３８は、図６乃至図８に示すように、その上部が、対応の手摺レール１５及び１３の各レール部分からずれて配置される。即ち、ガイド２４は、隔板３７及び３８に移動を阻害され、手摺レール１５及び１３の各一端部から外れなくなる。【００２８】
ここで、３９は隔板３７を手摺レール１５の一端面に回動自在に固定するための段付ボルト、４０は段付ボルト３９の軸を中心として、隔板３７を手摺レール１５に対して常時一側に付勢するバネ、４１はバネ４０の付勢方向を決定するためのバネガイド、４２は上記バネ４０を所定の位置に取り付けるための取付板である。４３は支持板３４に設けられたベース板であり、上記段付ボルト３９、取付板４２は、支持板３４の逃がし孔３４ａを利用して、ベース板４３に固定されている。そして、図４乃至図９にも示すように、隔板３７は、バネ掛け穴３７ａにその一端部が挿入されたバネ４０によって、その下端部が常時一側に付勢されることにより、段付ボルト３９を中心に回転して、その上部が手摺レール１５のレール部分からずれた状態に配置される。なお、隔板３８も上記と同様の構成によってガイド２４の外れ（落下）を防止する。【００２９】
また、隔板３７及び３８は、各下端部に形成された貫通孔３７ｂ、３８ａに蝶ボルト４４の軸部分が挿通されることにより、各上部が、手摺レール１５及び１３の各レール部分と一直線状に配置された状態に保持され、手摺レール１５及び１３を一続きに形成する。ここで、４３ａはベース板４３に形成された、蝶ボルト４４の先端ネジ部４４ａが固定されるネジ孔、３４ｂは支持板３４に形成された、蝶ボルト４４の先端部のための逃がし孔、４５及び４４ｂは、蝶ボルト４４を貫通孔３７ｂ及び３８ａから抜く方向に常時付勢するためのバネとバネ受け、１７ａは上記蝶ボルト４４を動作させるための逃がし孔である。なお、上記蝶ボルト４４、貫通孔３７ｂ及び３８ａ、ネジ孔４３ａ等により、保持手段が構成される。また、上記は手摺レール１５及び１３の各一端部間に設けられたガイド落下防止手段３６の構成であるが、他のガイド落下防止手段３６も同様の構成を有している。【００３０】
次に、上記構成を有するかご上手摺装置を図１に示す状態から折り畳む際の動作について説明する。図１０はこの発明の実施の形態１におけるエレベータのかご上手摺装置の折り畳み動作を説明するための斜視図、図１１は図１０に示すエレベータのかご上手摺装置の側面図、図１２はこの発明の実施の形態１におけるエレベータのかご上手摺装置の収納状態を示す斜視図、図１３は図１２に示すエレベータのかご上手摺装置の側面図である。【００３１】
図１に示すかご上手摺装置の組立状態では、上述の通り、手摺レール１３乃至１６は一続きに形成され、各ガイド落下防止手段３６は、図５に示す状態となっている。この状態からかご上手摺装置を収納する場合、作業者８は、先ず、所定の作業によってガイド落下防止手段３６を機能させた状態（図６に示す状態）にする。即ち、図５に示す状態から、蝶ボルト４４を弛緩させ、その軸部分を隔板３７及び３８の下端部から引き抜く。すると、バネ４０の付勢力によって、隔板３７が手摺レール１５に対して、また隔板３８が手摺レール１３に対して所定角度傾き、ガイド２４の落下が阻止される。【００３２】
そして、全てのガイド落下防止手段３６を機能させた後、前手摺９と後手摺１０とをかごの内側に傾倒させ、かご室２の上方で水平な状態にする。次に、図１０及び図１１に示すように横手摺１１及び１２をかごの内側に傾倒させ、図１２及び図１３に示す収納状態にする。なお、横手摺１１及び１２の手摺枠１９及び２０をかごの内側に傾倒させた場合であっても、手摺レール１５及び１６はリンク３１の作用によって常時水平に保たれる。したがって、図１２及び１３に示す収納状態であっても、かご上手摺装置の高さ寸法を低く抑えることが可能となる。【００３３】
また、上記と逆の手順により、かご上手摺装置を組み立てることができる。この場合、例えば、手摺枠１９及び１７を上枠７上に起立させた後、隔板３７及び３８を、その上部が手摺レール１５及び１３の各レール部分と一直線状になるように合わせて配置し、蝶ボルト４４を各貫通孔３８ａ及び３７ｂに挿通させてネジ孔４３ａに締め付ける。そして、手摺９乃至１２を起立させて全ての隔板を手摺レール１３乃至１６のレール部分に合わせて配置した後、作業者８は、自分の安全フックをガイド２４の安全フック環２６に連結し、作業を開始する。【００３４】
この発明の実施の形態１によれば、エレベータの作業者８がかごの上に乗って作業をする場合に、安全フックの掛け替えを必要とせず、その作業性を大幅に向上させることができる。したがって、昇降路１内に様々な機器類が配置されている機械室エレベータに対しては特に有効な手段となる。また、作業中に安全フックを外すことによって生じる安全フックの掛け忘れも同時に防止できる。【００３５】
また、かご上手摺装置を折り畳み可能にするために、四方の各手摺９乃至１２を傾倒自在に構成した場合であっても、各手摺レール１３乃至１６の各端部に設けられたガイド落下防止手段３６により、ガイド２４の落下を確実に防止できる。更に、湾曲部２９を有する手摺レール１５及び１６を水平状態のまま収納できるようにしたため、収納状態におけるかご上手摺装置の高さ寸法を最小限にすることができ、昇降路１の頂部空間の省スペース化を図ることも可能になる。【００３６】
実施の形態２．
図１４はこの発明の実施の形態２におけるガイドを示す正面図、図１５はその側面図、図１６はその平面図である。図１４乃至図１６において、ガイド２４には、手摺レール１３乃至１６上を円滑に移動するためのガイドローラ４６と、安全フック環２６とが備えられている。即ち、上記ガイド２４は、手摺レール１３乃至１６に沿って移動する場合に、内部に回動自在に設けられたガイドローラ４６が手摺レール１３乃至１６の両側部を転動し、その移動を円滑に案内する。【００３７】
この発明の実施の形態２によれば、ガイド２４が滑らかに手摺レール１３乃至１６上を移動するため、作業者８への負担が軽減され、より作業性を向上させることができるようになる。
【産業上の利用可能性】
【００３８】
以上のように、この発明にかかるエレベータ装置によれば、エレベータの作業者がかごの上に乗って作業をする場合に、安全フックの掛け替えを必要とせず、その作業性を大幅に向上させることができる。したがって、エレベータの機種等に関わらず、かご上にかご上手摺装置が設置されたエレベータ全般に適用が可能である。
【図１】
2008136118.tif 000003
【図２】
2008136118.tif 000004
【図３】
2008136118.tif 000005
【図４】
2008136118.tif 000006
【図５】
2008136118.tif 000007
【図６】
2008136118.tif 000008
【図７】
2008136118.tif 000009
【図８】
2008136118.tif 000010
【図９】
2008136118.tif 000011
【図１０】
2008136118.tif 000012
【図１１】
2008136118.tif 000013
【図１２】
2008136118.tif 000014
【図１３】
2008136118.tif 000015
【図１４】
2008136118.tif 000016
【図１５】
2008136118.tif 000017
【図１６】
2008136118.tif 000018
【国際調査報告】
2008136118.tif 000019
2008136118.tif 000020
2008136118.tif 000021
2008136118.tif 000022